(57)【要約】【課題】軒樋を所定の寸法で精度よく、かつ、電動鋸の操作性を向上させて軒樋を切断するための軒樋切断用治具を提供する。【解決手段】軒樋３を切断するための治具であって、該治具は固定治具１と回転治具２とからなり、上記固定治具１は支持脚部１２とこの支持脚部１２に支持される円柱状の固定部１１とが一体的に構成され、上記回転治具２は軒樋３の内側に沿う形状の外面を有するとともに、上記固定部１１が嵌挿しこの固定部１１の周囲を摺動回転する中空の略半円筒部２０が凹設された軒樋切断用治具Ａ。上記回転治具２に凹設された中空の略半円筒部２０は、嵌挿した固定部１１が外れないように略半円筒部２０の側断面が半円形からやや真円形寄りの形状とされる。【選択図】図１
2006328745.tif 000002
【特許請求の範囲】
【請求項１】
軒樋を切断するための治具であって、該治具は固定治具と回転治具とからなり、上記固定治具は支持脚部とこの支持脚部に支持される円柱状の固定部とが一体的に構成され、上記回転治具は軒樋の内側に沿う形状の外面を有するとともに、上記固定部が嵌挿しこの固定部の周囲を摺動回転する中空の略半円筒部が凹設された軒樋切断用治具。
【請求項２】
上記回転治具に凹設された中空の略半円筒部は、嵌挿した固定部が外れないように略半円筒部の側断面が半円形からやや真円形寄りの形状とされた請求項１に記載の軒樋切断用治具。
【請求項３】
上記軒樋を切断するための切断手段が電動鋸である請求項１に記載の軒樋切断用治具。
【発明の詳細な説明】
【技術分野】
【０００１】
本発明は、軒樋を所定の長さに切断するときに用いる治具に関する。
【背景技術】
【０００２】
従来、長尺の軒樋を所定の長さに切断する場合、軒樋に入れた罫書き線に沿って、あるいは切断用治具を用いてその側面に沿って金切り鋸を用いて切断することが行われていた。また、電動鋸を用いる場合については、電動鋸に適した治具が提案され、例えば、下記特許文献１に記載の軒樋切断用治具が知られている。
【特許文献１】特開２００４−２９３１２１号公報（第１〜３頁、第１図、第２図）
【発明の開示】
【発明が解決しようとする課題】
【０００３】
上記特許文献１の第１図、第２図には、切断治具本体に電動鋸の回転刃が挿通する刃挿通溝を上記本体の周方向に穿設した切断治具の構造が開示されている。しかしながら、上記切断治具を用いた場合、電動鋸を上から下方向に押し切るように用いるため、作業中に軒樋が下方に撓み、位置ずれが生じて寸法精度よく切断できないという問題がある。本発明は、このような問題を解決して、軒樋を所定の寸法に精度よく、かつ、電動鋸の操作性を向上させて軒樋を切断するための治具を提供することを、その課題とする。
【課題を解決するための手段】
【０００４】
上記課題を解決するために、本発明においては、つぎのような技術的手段を講じている。すなわち、本発明によれば、軒樋を切断するための治具であって、該治具は固定治具と回転治具とからなり、上記固定治具は支持脚部とこの支持脚部に支持される円柱状の固定部とが一体的に構成され、上記回転治具は軒樋の内側に沿う形状の外面を有するとともに、上記固定部が嵌挿しこの固定部の周囲を摺動回転する中空の略半円筒部が凹設された軒樋切断用治具が提供される。
【０００５】
上記回転治具に凹設された中空の略半円筒部は、嵌挿した固定部が外れないように略半円筒部の側断面が半円形からやや真円形寄りの形状とされることが好ましい。また、上記軒樋を切断するための手段が電動鋸であることが好ましい。
【発明の効果】
【０００６】
請求項１に記載の発明は上記のとおりであり、軒樋の内側に沿う形状の外面を有する回転治具と、支持脚部と円柱状の固定部とが一体的に構成された固定治具とからなり、上記回転治具には固定部が嵌挿しこの固定部の周囲を摺動回転する中空の略半円筒部が凹設されているため、軒樋を被嵌した回転治具が上記固定部の周囲を容易に摺動回転するとともに、切断手段を横方向に移動することによって作業中に軒樋が撓んで、位置ずれが生じることなく寸法精度よく軒樋を切断することができる。
【０００７】
上記回転治具に凹設された中空の略半円筒部は、嵌挿した固定部が外れないように略半円筒部の側断面が半円形からやや真円形寄りの形状とされているため、しっかりと上記固定部に保持され、スムースに固定部の周囲を摺動して回転することができる。
【０００８】
上記軒樋を切断するための切断手段が電動鋸であることが好ましい。軒樋を被嵌した回転治具をゆっくりと摺動して回転させるとともに、高速回転する円形鋸歯を横方向に移動させることにより、電動鋸の操作性を向上させて作業性よく軒樋を切断することができる。
【発明を実施するための最良の形態】
【０００９】
以下、本発明の実施形態について図面を参照して、詳細に説明する。図１は、固定治具１と回転治具２とからなる本発明にかかる軒樋切断用治具Ａを示す分解斜視図である。上記固定治具１は支持脚１２とこの支持脚１２に支持される円柱状の固定部１１とが一体的に構成され、回転治具２は、仮想線で示す軒樋３の内面に沿う形状の外面を有するとともに、上記固定部１１が嵌挿する中空の略半円筒部２０が凹設されている。該略半円筒部２０は固定部１１の周囲を摺動しながら回転する。
【００１０】
図２は、上記軒樋切断用治具Ａの回転治具２の外面に軒樋３を外嵌した状態を示す側面図である。図２からよくわかるように、回転治具２の外面は軒樋３の内面に沿う形状を有するとともに、軒樋３の軒側に位置する前面板、底板、屋外側に位置する後面板にそれぞれ当接する前面板当接部２１、底板当接部２３、後面板当接部２２から構成されている。また、軒樋３の後耳３２は上記後面板当接部２２に係合し、前耳３１は軒樋３が回転治具２に外嵌し易いように内面板当接部２１に緩係合するようにされている。
【００１１】
以下、上記軒樋切断用治具Ａを用いて軒樋３を切断する方法を図３、図４を参照して説明する。まず、固定治具１の固定部１１を回転治具２の中空の略半円筒部２０に嵌挿し、ついで上記したように回転治具２の外面に軒樋３を外嵌する。図３は、上記のようにして長尺の軒樋３を３基の固定治具１により支えた形態を示す説明図である。図３において、３基の固定治具１を用いることにより軒樋３の自重は分散し、撓むことなく支持される。上記に説明したように回転治具２は固定部１１の周囲を摺動しながら回転するため、回転治具２に外嵌した軒樋３も矢印の方向に手によってゆっくりと回転させることができる。
【００１２】
このように、下方に撓むことなく軸芯を一定として摺動回転自在とされた軒樋３は、ついで図４に示すように電動鋸４で切断される。すなわち、円形鋸歯が高速回転している電動鋸４を矢印の方向に手で移動させるとともに、軒樋３を、最初の状態ａ、手前方向に摺動して回転させた中間の状態ｂ、切断し終わる最後の状態ｃと順次摺動して回転させ、切断することにより、切りムラ等が生じることなく所定の寸法精度を有する軒樋を容易に得ることができる。
【図面の簡単な説明】
【００１３】
【図１】本発明にかかる軒樋切断用治具を示す分解斜視図である。
【図２】本発明にかかる回転治具に軒樋を外嵌した状態を示す側面図である。
【図３】本発明にかかる固定治具を用いて軒樋を支持した状態を示す説明図である。
【図４】電動鋸を横方向に移動させ軒樋を摺動回転させながら所定の寸法に切断する方法を示す説明図である。
【符号の説明】
【００１４】
Ａ          本発明にかかる軒樋切断用治具
１          固定治具
１１        固定部
１２        支持脚部
２          回転治具
２０        略半円筒部
２１        前面板当接部
２２        後面板当接部
２３        底板当接部
３          軒樋
３１        前耳
３２        後耳
４          電動鋸
ａ          電動鋸により軒樋を切断するときの軒樋切断用治具の最初の状態
ｂ          電動鋸により軒樋を切断するときの軒樋切断用治具の中間の状態
ｃ          電動鋸により軒樋を切断するときの軒樋切断用治具の最後の状態
【図１】
2006328745.tif 000003
【図２】
2006328745.tif 000004
【図３】
2006328745.tif 000005
【図４】
2006328745.tif 000006